(57)【要約】【課題】  商用交流電源ＡＣから電力供給が遮断したとき、ノイズフィルタに内蔵されているコンデンサの放電速度が遅く、放電の安全規格を満足できない。【解決手段】  商用交流電源に開閉器を介して接続する第１のライン、第２のライン及び第３のラインに設けたコモンモードチョークコイルと、コモンモードチョークコイルの入力側設けたアクロスザラインコンデンサ、第１の抵抗器及び第２の抵抗器と、出力側にラインバイパスコンデンサと、で形成するノイズフィルタを備えた溶接電源装置において、ノイズフィルタは、常時開の第１開閉接点を介して第１の抵抗器に並列接続する第３の抵抗器と、常時開の第２開閉接点を介して第２の抵抗器に並列接続する第４の抵抗器とを設け、商用交流電源ＡＣから電力供給が遮断したとき、第１開閉接点及び第２開閉接点を閉にして放電抵抗の値を小さくしてコンデンサの放電速度が速くし安全規格を満足させる。【選択図】  図１
2013236434.tif 000002
【特許請求の範囲】
【請求項１】
三相の商用交流電源に開閉器を介して接続する第１のライン、第２のライン及び第３のラインと、前記第１のライン、前記第２のライン及び前記第３のラインに設けたコモンモードチョークコイルと、前記コモンモードチョークコイルの入力側の前記第１のラインと前記第２のラインとの相間、並びに前記第２のラインと前記第３のラインとの相間に設けたアクロスザラインコンデンサと、前記コモンモードチョークコイルの入力側の前記第１のラインと前記第２のラインとの相間に設けた第１の抵抗器と、前記第２のラインと前記第３のラインとの相間に設けた第２の抵抗器と、前記コモンモードチョークコイルの出力側の前記第１のラインと前記第２のラインとの相間、並びに前記第２のラインと前記第３のラインとの相間に設けたラインバイパスコンデンサと、で形成するノイズフィルタを備えた溶接電源装置において、
前記ノイズフィルタは、常時開の第１開閉接点を介して前記第１の抵抗器に並列に接続される第３の抵抗器と、常時開の第２開閉接点を介して前記第２の抵抗器に並列に接続される第４の抵抗器と、前記第１開閉接点及び前記第２開閉接点を開閉する電磁開閉器と、前記コモンモードチョークコイルの入力側又は出力側の予め定めた相間の電圧を検出する相間電圧検出回路と、前記検出された相間の電圧値が予め定めた電圧基準値より低くなると前記第１開閉接点及び前記第２開閉接点を閉にして前記第３の抵抗器を前記第１の抵抗器、並びに前記第４の抵抗器を前記第２の抵抗器に並列に接続する遮断判別回路と、を備えたことを特徴とする溶接電源装置。
【請求項２】
前記ノイズフィルタに前記遮断判別回路に直流電圧を供給する安定化電源回路を備え、前記安定化電源回路は、前記相間の電圧が降圧し略零になった時点から予め定めた時間、前記直流電圧の供給を維持する、ことを特徴とする請求項１記載の溶接電源装置。
【請求項３】
前記遮断判別回路は、前記相間の電圧値が前記電圧基準値より低くなった時点から予め定めた時間、前記第１開閉接点及び前記第２開閉接点を閉にする、ことを特徴とする請求項１記載の溶接電源装置。
【請求項４】
請求項１記載の溶接電源装置を構成すること、を特徴とするノイズフィルタ。
【発明の詳細な説明】
【技術分野】
【０００１】
本発明は、溶接電源装置に備えられたノイズフィルタに内蔵のコンデンサの放電に関するものである。
【背景技術】
【０００２】
ノイズフィルタに内蔵されているコンデンサは、商用交流電源からの電力供給が図示省略の開閉器を開にして遮断したとき、コンデンサの放電が開始される。このとき、コンデンサの電圧が１秒以内に６０Ｖ以下に降圧するために放電抵抗を設けて放電していた。
【０００３】
図３に示す１次整流回路ＤＲ１、平滑コンデンサＣ１、インバータ回路ＩＮＶ、主変圧器ＩＮＴ、２次整流回路ＤＲ２及び直流リアクトルＤＣＬで溶接電源が形成される。そして、商用交流電源と溶接電源との間にノイズフィルタＮＬＦを接続して従来技術の溶接電源装置を形成している。
【０００４】
図３に示す従来のノイズフィルタＮＬＦは、Ｕ相ライン１０、Ｖ相ライン２０及びＷ相ライン３０を有し、各ラインの一方の端部を開閉器を介して商用交流電源ＡＣに接続し、各ラインの他方の端部はノーヒューズ・ブレーカＮＦに接続している。
【０００５】
図３に示すコモンモードチョークコイルＬＦは、コイルＬＦａ、コイルＬＦｂ及びコイルＬＦｃが同一のコアに巻かれている。そして、Ｕ相ライン１０にコイルＬＦａが設けられ、Ｖ相ライン２０にコイルＬＦｂが設けられ、Ｗ相ライン３０にコイルＬＦｃが設けられている。
【０００６】
図３に示すコモンモードチョークコイルＬＦの入力側のＵ相ライン１０にアクロスザラインコンデンサＣＸ３の一方を接続し、Ｖ相ライン２０にアクロスザラインコンデンサＣＸ２の一方を接続し、Ｗ相ライン３０にアクロスザラインコンデンサＣＸ１の一方を接続し、アクロスザラインコンデンサＣＸ１、アクロスザラインコンデンサＣＸ２及びアクロスザラインコンデンサＣＸ３の他方３点を接続し、この３つのアクロスザラインコンデンサＣＸ１、ＣＸ２及びＣＸ３により、ノーマルモードノイズは商用交流電源ＡＣ側に還流されるので、各ラインに流れるノイズ総量が削減される。
【０００７】
コモンモードチョークコイルＬＦの出力側のＵ相ライン１０にラインバイパスコンデンサＣＹ３の一方を接続し、Ｖ相ライン２０にラインバイパスコンデンサＣＹ２の一方を接続し、Ｗ相ライン３０にラインバイパスコンデンサＣＹ１の一方を接続し、ラインバイパスコンデンサＣＹ１、ラインバイパスコンデンサＣＹ２及びラインバイパスコンデンサＣＹ３の他方とラインバイパスコンデンサＣＹ４の一方とを接続し、ラインバイパスコンデンサＣＹ４の他方を接地し、コモンモードチョークコイルＬＦと４つのラインバイパスコンデンサＣＹ１、ＣＹ２、ＣＹ３及びＣＹ４により、コモンモードのノイズ成分をコンデンサによりＧＮＤへバイパスしてコモンモードノイズが削減される。
【０００８】
図３に示すＵ相ライン１０とＶ相ライン２０との相間に予め定めた抵抗値を有する第１の抵抗器Ｒ１、Ｖ相ライン２０とＷ相ライン３０との相間に第１の抵抗器Ｒ１と同一抵抗値を有する第２の抵抗器Ｒ２を接続することで、商用交流電源ＡＣから電力の供給が遮断したとき、ノイズフィルタに内蔵されている各コンデンサの電荷を第１の抵抗器Ｒ１及び第２の抵抗器Ｒ２を介して放電し、各コンデンサの端子間電圧が規定時間（例えば、１秒）以内に所定電圧（例えば、６０Ｖ）以下になるように降圧していた。
また、特許文献１には、図３に示す平滑コンデンサＣ１を放電する技術が開示されている。
【先行技術文献】
【特許文献】
【０００９】
【特許文献１】特開平７−３２５６２９号公報
【発明の概要】
【発明が解決しようとする課題】
【００１０】
商用交流電源からの電力供給が遮断したとき、ノイズフィルタに内蔵されているアクロスザラインコンデンサ及びラインバイパスコンデンサが放電を開始する。このとき、放電開始から１秒内に各コンデンサの電圧が６０Ｖ以下に降圧する規格があり、この規格を満足するために各相間に放電抵抗を設けて放電速度を速くしていた。
【００１１】
しかし、ノイズフィルタのノーマルモードノイズ及びコモンモードノイズのノイズ削減効果を向上させるには、ノイズフィルタに内蔵されているアクロスザラインコンデンサ及びラインバイパスコンデンサの容量を大きくする必要がある。しかし、容量を大きくすると放電速度が遅くなり規格を満足するのが難しくなる。
この対策として、従来では放電抵抗の抵抗値を小さくしていた。しかし、抵抗値を小さくすると熱損失が大きくなり限界がある。
そこで、本発明では、上記の課題を解決する溶接電源装置を供給することを目的とする。
【課題を解決するための手段】
【００１２】
上述した課題を解決するために、第１の発明は、三相の商用交流電源に開閉器を介して接続する第１のライン、第２のライン及び第３のラインと、前記第１のライン、前記第２のライン及び前記第３のラインに設けたコモンモードチョークコイルと、前記コモンモードチョークコイルの入力側の前記第１のラインと前記第２のラインとの相間、並びに前記第２のラインと前記第３のラインとの相間に設けたアクロスザラインコンデンサと、前記コモンモードチョークコイルの入力側の前記第１のラインと前記第２のラインとの相間に設けた第１の抵抗器と、前記第２のラインと前記第３のラインとの相間に設けた第２の抵抗器と、前記コモンモードチョークコイルの出力側の前記第１のラインと前記第２のラインとの相間、並びに前記第２のラインと前記第３のラインとの相間に設けたラインバイパスコンデンサと、で形成するノイズフィルタを備えた溶接電源装置において、
前記ノイズフィルタは、常時開の第１開閉接点を介して前記第１の抵抗器に並列に接続される第３の抵抗器と、常時開の第２開閉接点を介して前記第２の抵抗器に並列に接続される第４の抵抗器と、前記第１開閉接点及び前記第２開閉接点を開閉する電磁開閉器と、前記コモンモードチョークコイルの入力側又は出力側の予め定めた相間の電圧を検出する相間電圧検出回路と、前記検出された相間の電圧値が予め定めた電圧基準値より低くなると前記第１開閉接点及び前記第２開閉接点を閉にして前記第３の抵抗器を前記第１の抵抗器、並びに前記第４の抵抗器を前記第２の抵抗器に並列に接続する遮断判別回路と、を備えたことを特徴とする溶接電源装置である。
【００１３】
第２の発明は、前記ノイズフィルタに前記遮断判別回路に直流電圧を供給する安定化電源回路を備え、前記安定化電源回路は、前記相間の電圧が降圧し略零になった時点から予め定めた時間、前記直流電圧の供給を維持する、ことを特徴とする請求項１記載の溶接電源装置である。
【００１４】
第３の発明は、前記遮断判別回路は、前記相間の電圧値が前記電圧基準値より低くなった時点から予め定めた時間、前記第１開閉接点及び前記第２開閉接点を閉にする、ことを特徴とする請求項１記載の溶接電源装置である。
【００１５】
第４の発明は、請求項１記載の溶接電源装置を構成すること、を特徴とするノイズフィルタである。
【発明の効果】
【００１６】
本発明の請求項１及び請求項２では、商用交流電源から電力供給が遮断した時点からノイズフィルタに内蔵されている放電抵抗の値を小さくしてアクロスザラインコンデンサ及びラインバイパスコンデンサの放電速度を速くするので、コンデンサの容量を大きくしても、放電開始から１秒内にコンデンサの電圧を６０Ｖ以下に降圧するという規格が守れるので、ノーマルモードノイズ及びコモンモードノイズの削減効果の向上に繋がる。
【００１７】
本発明の請求項３では、商用交流電源から電力供給が遮断した時点から所定時間の間、ノイズフィルタに内蔵されている抵抗値の大きい抵抗器に抵抗値の小さい抵抗器を並列接続するので、抵抗値の小さい抵抗器の並列接続する時間が短くて済むので、熱損失が抑制されワット数の小さな抵抗が使用できる。
【００１８】
請求項３の発明では、溶接電源装置以外のインバータ装置等でも使用でき、ノーマルモードノイズ及びコモンモードノイズの低減効果の向上に繋がる。
【図面の簡単な説明】
【００１９】
【図１】本発明の実施形態１に係る溶接電源装置の電気接続図である。
【図２】実施形態１の動作を説明する波形図である。
【図３】従来技術の溶接電源装置の電気接続図である。
【発明を実施するための形態】
【００２０】
図１〜図２を参照して本発明の実施形態１の動作について説明する。
図１は、本発明の実施形態１に係る溶接電源装置の電気接続図である。同図において、図３に示す従来技術の溶接電源装置の電気接続図と同一符号の構成物は、同一動作を行うので説明は省略し、符号の相違する構成物についてのみ説明する。
【００２１】
図１に示す本発明の実施形態１に係る溶接電源装置のノイズフィルタＮＬＦＤでは、図３に示す従来技術のノイズフィルタＮＬＦに、直流変換回路ＤＶ、安定化電源回路ＣＶ、比較回路ＣＰ、電圧基準設定回路ＶＲ、単安定マルチバイブレータ回路ＦＦ、切換スイッチＳＷ及び電磁開閉器ＣＲで形成される遮断判別回路ＩＤＶと、第３の抵抗器Ｒ３及び第４の抵抗器Ｒ４と、を備え、第１の抵抗器Ｒ１の抵抗値より小さい第３の抵抗器Ｒ３（例えば、１／１０）の一方をＵ相ライン１０に接続し、他方を第１開閉接点ＣＲ１の一方に接続し、第１開閉接点ＣＲ１の他方をＶ相ライン２０に接続して第１開閉接点ＣＲ１の閉に応じて第３の抵抗器Ｒ３を第１の抵抗器Ｒ１に並列接続させる。さらに、第２の抵抗器Ｒ２の抵抗値より小さい第４の抵抗器Ｒ４（例えば、１／１０）の一方をＶ相ライン２０に接続し、他方を第２開閉接点ＣＲ２の一方に接続し、第２開閉接点ＣＲ２の他方をＷ相ライン３０に接続して第２開閉接点ＣＲ２の閉に応じて第４の抵抗器Ｒ４を第２の抵抗器Ｒ２に並列接続させる。
【００２２】
図１に示す入力電圧検出回路ＶＤは、商用交流電源（三相交流電源）の、例えば、Ｖ相ライン２０とＷ相ライン３０との相間に設けているが、Ｕ相ライン１００とＶ相ライン２０との相間に設けてもよい。更に、コモンモードチョークコイルＬＦの入力側又は出力側に設けてもよい。
【００２３】
図１に示す直流変換回路ＤＶは、入力電圧検出信号Ｖｄを整流及び平滑し、若干脈流のある直流電圧Ｄｖとして出力する。安定化電源回路ＣＶは、例えば、Ｕ相ライン１０とＶ相ライン２０との間の単相交流電圧を制御電圧に適した交流電圧に変換し、この変換した交流電圧を整流し図示省略の三端子レギュレータで安定した直流電圧Ｃｖにして出力する。このとき、安定化電源回路ＣＶは、Ｕ相ライン１０とＶ相ライン２０との間の相間の電圧が降圧し略零になった時点から予め定めた時間、直流電圧Ｃｖの供給を維持するために外付けのコンデンサＣ２の容量を決定している。
【００２４】
比較回路ＣＰは、直流電圧Ｄｖが予め定めた電圧基準値Ｖｒより低いとき比較信号ＣｐをＨｉｇｈレベルにして出力する。単安定マルチバイブレータ回路ＦＦは、比較信号ＣｐがＨｉｇｈレベルに変化した時点から予め定めた時間、単安定マルチバイブレータ信号ＦｆをＨｉｇｈレベルにして出力する。
【００２５】
図２は、実施形態１の溶接電源装置の動作を説明する波形図である。
図２において、図２（Ａ）は入力電圧検出信号Ｖｄを示し、同図（Ｂ）は入力電圧検出信号Ｖｄを全波整流し平滑した直流電圧Ｖｄを示し、同図（Ｃ）は安定化電源電圧Ｃｖを示し、同図（Ｄ）は比較信号Ｃｐを示し、同図（Ｅ）は単安定マルチバイブレータ信号を示す。
【００２６】
図１〜図２を参照して実施形態１の溶接電源装置の動作について説明する。
図２に示す時刻ｔ＝ｔ１において、開閉器を閉にして商用交流電源（三相交流電源）からラインフィルタのＵ相ライン１０、Ｖ相ライン２０及びＷ相ライン３０に電力が供給を開始すると、安定化電源回路ＣＶは、Ｕ相ライン１０とＶ相ライン２０との相間の単相交流電圧を直流電圧に変換して図２（Ｃ）に示す安定化電圧Ｃｖとして出力し、比較回路ＣＰ、電圧基準設定回路ＶＲ、単安定マルチバイブレータ回路ＦＦ及び電磁開閉器ＣＲに供給する。
【００２７】
図１に示す入力電圧検出回路ＶＤは、例えば、Ｖ相ライン２０とＷ相ライン３０との相間の単相交流電圧を検出し、図２（Ａ）に示す入力電圧検出信号Ｖｄとして出力する。時刻ｔ＝ｔ１〜ｔ２において、直流変換回路ＤＶは、入力電圧検出信号Ｖｄを全波整流及び平滑し若干脈流を含む図２（Ｂ）に示す直流電圧Ｄｖとして出力する。
【００２８】
図１に示す溶接電源のノーヒューズ・ブレーカＮＦをオンにすると、時刻ｔ＝ｔ１〜ｔ２において、ノイズフィルタを介して供給される商用交流電源ＡＣが供給され、この商用交流電源ＡＣを整流及び平滑して直流電圧に変換し、インバータ回路ＩＮＶで高周波交流電圧に変換する。主変圧器ＩＮＴは、高周波交流電圧をアーク加工に適した高周波交流電圧に変換し、２次整流回路ＤＲ２で整流し第１の直流リアクトルＤＣＬ１を介してトーチＴＨと被加工物Ｍとの間に電力を供給する。
【００２９】
時刻ｔ＝ｔ１〜ｔ２において、図１に示す比較回路ＣＰは、図２（Ｂ）に示す直流電圧Ｄｖと電圧基準値Ｖｒとを比較し、直流電圧Ｄｖが電圧基準値Ｖｒより高いので、図２（Ｄ）に示す比較信号ＣｐをＬｏｗレベルにする。このとき、単安定マルチバイブレータ回路ＦＦは、比較信号ＣｐのＬｏｗレベルに応じて図２（Ｅ）に示す単安定マルチバイブレータ信号ＦｆはＬｏｗレベルになる。
【００３０】
図２（Ｅ）に示す単安定マルチバイブレータ信号ＦｆがＬｏｗレベルのとき切換スイッチＳＷはオフする。このとき、電磁開閉器ＣＲは動作を停止し第１開閉接点ＣＲ１及び第２開閉接点ＣＲ２は開になる。
【００３１】
時刻ｔ＝ｔ１〜ｔ２において、第１開閉接点ＣＲ１及び第２開閉接点ＣＲ２が開するので、第３の抵抗器Ｒ３と第１の抵抗器Ｒ１との並列接続は解除されると共に第４の抵抗器Ｒ４と第２の抵抗器Ｒ２との並列接続も解除される。
【００３２】
溶接が終了し、時刻ｔ＝ｔ２において、作業者がノーヒューズ・ブレーカＮＦをオフにすると共に開閉器をオフすると商用交流電源ＡＣからの電力供給が停止し、ノイズフィルタＮＬＦＤに内蔵されている図１に示すアクロスザラインコンデンサＣＸ１、ＣＸ２及びＣＸ３、並びにラインバイパスコンデンサＣＹ１、ＣＹ２、ＣＹ３及びＣＹ４に充電されている電荷が第１の抵抗器Ｒ１及び第２の抵抗器Ｒ２を介して放電を開始する。このとき、図２（Ａ）に示す入力電圧検出信号Ｖｄの交流電圧の降圧に応じて図２（Ｂ）に示す直流電圧Ｄｖも降圧する。
【００３３】
図１に示す比較回路ＣＰは、図２（Ｂ）に示す直流電圧Ｄｖの値と電圧基準値Ｖｒとを比較し、時刻ｔ＝ｔ３のとき、直流電圧Ｄｖの値が電圧基準値Ｖｒより低くなると、図２（Ｄ）に示す比較信号ＣｐをＨｉｇｈレベルにする。
【００３４】
単安定マルチバイブレータ回路ＦＦは、時刻ｔ＝ｔ３において、比較信号ＣｐがＨｉｇｈレベルに変化すると、図２（Ｅ）に示す単安定マルチバイブレータ信号Ｆｆを予め定めた時間Ｔ１の間、Ｈｉｇｈレベルにする。
【００３５】
図２（Ｅ）に示す単安定マルチバイブレータ信号ＦｆのＨｉｇｈレベルに応じて切換スイッチＳＷはオンする。このとき、電磁開閉器ＣＲは動作を開始して第１開閉接点ＣＲ１及び第２開閉接点ＣＲ２を閉する。
【００３６】
第１開閉接点ＣＲ１及び第２開閉接点ＣＲ２が閉すると、図１に示す第３の抵抗器Ｒ３が第１の抵抗器Ｒ１に並列接続すると共に第４の抵抗器Ｒ４が第２の抵抗器Ｒ２に並列接続される。このとき、時刻ｔ＝ｔ３からノイズフィルタＮＬＦＤに内蔵されているアクロスザラインコンデンサＣＸ１、ＣＸ２及びＣＸ３、並びにラインバイパスコンデンサＣＹ１、ＣＹ２、ＣＹ３及びＣＹ４の電荷の放電速度が速くなり、図２（Ａ）に示す入力電圧検出信号Ｖｄの値は急速に減少し、時刻ｔ＝ｔ４において電荷の放電が終了する。このとき、ノイズフィルタに内蔵されている各コンデンサの電荷は放電を開始してから１秒以内に６０Ｖ以下になる。
【００３７】
時刻ｔ＝ｔ５において、図２（Ｅ）に示す単安定マルチバイブレータ信号ＦｆのＨｉｇｈレベルからＬｏｗレベルになると切換スイッチＳＷはオフする。このとき電磁開閉器ＣＲは動作を停止し第１開閉接点ＣＲ１及び第２開閉接点ＣＲ２は開になる。
また、切換スイッチＳＷに図２（Ｅ）に示す単安定マルチバイブレータ信号Ｆｆに換えて図２（Ｄ）に示す比較信号Ｃｐを入力し、比較信号ＣｐのＨｉｇｈレベルに応じて切換スイッチＳＷをオンにして電磁開閉器ＣＲを動作させ、第１開閉接点ＣＲ１及び第２開閉接点ＣＲ２を閉にし、比較信号ＣｐのＨｉｇｈレベルからＬｏｗレベルに応じて切換スイッチＳＷはオフにし、電磁開閉器ＣＲの動作を停止して第１開閉接点ＣＲ１及び第２開閉接点ＣＲ２を開にしてもよい。
【００３８】
第１開閉接点ＣＲ１及び第２開閉接点ＣＲ２が開すると、第１開閉接点ＣＲ１の開に応じて第３の抵抗器Ｒ３と第１の抵抗器Ｒ１との並列接続を解除すると共に第２開閉接点ＣＲ２の閉に応じて第４の抵抗器Ｒ４と第２の抵抗器Ｒ２との並列接続を解除する。
【００３９】
安定化電源回路ＣＶは、時刻ｔ＝ｔ２から単相交流電圧の供給が停止すると、コンデンサＣ２の放電が緩やかに進み、時刻ｔ＝ｔ６において、安定化電源回路ＣＶは直流電圧Ｃｖの供給を停止すると共に比較回路ＣＰも図２（Ｄ）に示す比較信号Ｃｐの出力を停止する。
【００４０】
上述より、第１の抵抗器Ｒ１と第３の抵抗器Ｒ３、及び第２の抵抗器Ｒ２と第４の抵抗器Ｒ４との並列時間は短時間であるので、第３の抵抗器Ｒ３及び第４の抵抗器Ｒ４はワット数の小さな抵抗が使用できる。更に、ノイズフィルタを溶接電源装置に装着することでノーマルモードノイズ及びコモンモードノイズの低減を図っているが、溶接電源装置以外のインバータ装置等に装着してノイズの低減を図ってもよい。
【符号の説明】
【００４１】
Ｃ１        平滑コンデンサ  
ＣＰ        比較回路
Ｃｐ        比較信号
ＣＲ        電磁開閉器
ＣＲ１      第１開閉接点
ＣＲ２      第２開閉接点
ＣＶ        安定化電源回路
Ｃｖ        安定化電圧
ＣＸ１      アクロスザラインコンデンサ
ＣＸ２      アクロスザラインコンデンサ
ＣＸ３      アクロスザラインコンデンサ
ＣＹ１      ラインバイパスコンデンサ
ＣＹ２      ラインバイパスコンデンサ
ＣＹ３      ラインバイパスコンデンサ
ＣＹ４      ラインバイパスコンデンサ
ＤＶ        直流変換回路
Ｄｖ        直流電圧
ＤＣＬ      直流リアクトル
ＤＲ１      １次整流回路
ＤＲ２      ２次整流回路
ＥＲ        誤差増幅回路
Ｅｒ        誤差増幅信号
ＦＦ        単安定マルチバイブレータ回路
Ｆｆ        単安定マルチバイブレータ信号
ＩＤ        出力電流検出回路
Ｉｄ        出力電流検出信号
ＩＲ        出力電流設定回路
Ｉｒ        出力電流設定信号
ＩＮＴ      主変圧器
ＩＮＶ      インバータ回路
ＬＦ        コモンモードチョークコイル
ＮＦ        ノーヒューズ・ブレーカ
ＮＬＦ      ノイズフィルタ（従来）
ＮＬＦＤ    ノイズフィルタ（本発明）
Ｍ          被加工物
Ｒ１        第１の抵抗器
Ｒ２        第２の抵抗器
Ｒ３        第３の抵抗器
Ｒ４        第４の抵抗器
ＳＣ        主制御回路
Ｓｃ        主制御信号
ＳＷ        切換スイッチ
ＴＨ        トーチ
ＶＤ        入力電圧検出回路
Ｖｄ        入力電圧検出信号
ＶＲ        電圧基準設定回路
Ｖｒ        電圧基準設定値
【図１】
2013236434.tif 000003
【図２】
2013236434.tif 000004
【図３】
2013236434.tif 000005